(57)【要約】      （修正有）【課題】マスカーテープを貼付する際に、貼付面に対する動きを安定化できるテープ貼付器具を提供する。【解決手段】芯材６にロール状に巻取られたマスカーテープ２が載る土台となる土台部３と、土台部３の一面側に立設されて、マスカーテープ２を引出し可能とするよう芯材６を回転可能に支持して軸方向へ延びるテープ支持体４と、土台部３の他面側に立設されて軸方向へ延びる把持部５とを備え、土台部３の端部にあって、土台部３の一面側からテープ支持体４に沿って延び、且つロール状に巻取られたマスカーテープ２の略接線方向に延長された板状の案内部１０が配置された。【選択図】図３
0003226795.tif 000002
【実用新案登録請求の範囲】
【請求項１】
芯材にロール状に巻取られたマスカーテープが載る土台となる土台部と、該土台部の一面側に立設されて、前記マスカーテープを引出し可能とするよう前記芯材を回転可能に支持して軸方向へ延びるテープ支持体と、前記土台部の他面側に立設されて軸方向へ延びる把持部とを備え、
前記土台部の端部にあって、該土台部の一面側から前記テープ支持体に沿って延び、且つロール状に巻取られた前記マスカーテープの略接線方向に延長された板状の案内部が配置されたことを特徴とするテープ貼付器具。
【請求項２】
前記案内部の端部に配置され、前記案内部の延びる方向に対して略直角な方向で、前記テープ支持体とは反対方向に延びるように載置案内部が配置された請求項１に記載のテープ貼付器具。
【請求項３】
前記載置案内部と、前記テープ支持体の端部とに、該テープ支持体の前記軸方向において隙間が介在された請求項２に記載のテープ貼付器具。
【請求項４】
前記テープ支持体の端部に、前記マスカーテープの前記芯材を保持するための前記芯材の内径よりも大径である保持体が、前記テープ支持体の端部に着脱自在に設けられた請求項１ないし請求項３の何れかに記載のテープ貼付器具。
【請求項５】
前記土台部および前記案内部のうちの少なくとも該案内部の表面が、保護材で覆われた請求項１ないし請求項４の何れかに記載のテープ貼付器具。
【考案の詳細な説明】
【技術分野】
【０００１】
本考案は、例えば、ペンキやニス等の塗布材料の塗布の対象となる領域の境界に沿ってマスカーテープを貼付けるテープ貼付器具に関する。
【背景技術】
【０００２】
特許文献１のテープ貼付器具は、軸方向へ延びるロッドと、ロッドの先端部に取り付けられたテープ繰り出し部材とから形成されている。テープ繰り出し部材は、軸方向へ延びるベースと、マスカーテープを引出可能に支持するテープ支持棒と、テープ支持棒からマスカーテープを引き出すテープ引出棒と、マスカーテープの養生シート材を建造物の粘着面に押し当てる弾性変形可能なクッションローラとを備える。
【０００３】
テープ貼付器具を利用して、建物の壁面の貼付面にマスカーテープを貼付する手順は、マスカーテープをテープ支持棒に挿入し、作業者が、マスカーテープの端部を指で摘持し、マスカーテープをテープ支持棒からテープ引出棒に向かって引き出し、マスカーテープの粘着テープ材を、建物の壁面の貼付面に位置させて、テープ貼付器具を貼付面に沿って移動させるというものである。
【先行技術文献】
【特許文献】
【０００４】
【特許文献１】特開２０１６−２２２３８２号公報
【考案の概要】
【考案が解決しようとする課題】
【０００５】
ところで、テープ貼付器具を利用して、建物の壁面の貼付面にマスカーテープを貼付する手順は、上記のように、マスカーテープの粘着テープ材を、建物の壁面の貼付面に位置させて、テープ貼付器具を貼付面に沿って移動させる。しかしながら、テープ貼付器具は、テープ引出棒に対して回転するクッションローラを貼付面に沿って移動させて案内するから、テープ貼付器具を貼付面に沿わすのは不安定である。
【０００６】
そこで本考案は、マスカーテープを貼付する際に、貼付面に対する動きを安定化できるテープ貼付器具の提供を目的とする。
【課題を解決するための手段】
【０００７】
本考案のテープ貼付器具は、芯材にロール状に巻取られたマスカーテープが載る土台となる土台部と、該土台部の一面側に立設されて、前記マスカーテープを引出し可能とするよう前記芯材を回転可能に支持して軸方向へ延びるテープ支持体と、前記土台部の他面側に立設されて軸方向へ延びる把持部とを備え、前記土台部の端部にあって、該土台部の一面側から前記テープ支持体に沿って延び、且つロール状に巻取られた前記マスカーテープの略接線方向に延長された板状の案内部が配置されたことを特徴としている。
【０００８】
上記構成の本考案のテープ貼付器具では、作業者が把持部を把持してテープ貼付器具を把持し、テープ支持体に対し、ロール状に巻取られたマスカーテープの芯材を設置してマスカーテープを土台部に載せ、マスカーテープが有する粘着テープ材を、建物の壁面の貼付面に貼付するようにする。そして、マスカーテープの粘着テープ材を貼付面に連続して貼付する際、板状の案内部を貼付面に沿って動かすようにすれば、マスカーテープが案内部に案内されつつ引出されるから、貼付面に対してテープ貼付器具の動きが安定させられる。また、案内部は板状に形成されているので、マスカーテープをカットする際の、目安とすることができる。
【０００９】
本考案のテープ貼付器具では、前記案内部の端部に配置され、前記案内部の延びる方向に対して略直角な方向で、前記テープ支持体とは反対方向に延びるように載置案内部が配置された構成を採用できる。
【００１０】
上記構成のテープ貼付器具では、載置案内部を、例えば建物の壁面の凸部に載置することで、案内部に加えて、さらに載置案内部によっても、テープ貼付器具の動きが安定させられる。
【００１１】
本考案のテープ貼付器具では、前記載置案内部と、前記テープ支持体の端部とに、該テープ支持体の前記軸方向において隙間が介在された構成を採用できる。
【００１２】
上記構成のテープ貼付器具では、載置案内部を建物の壁面の凸部に載置することで、作業者は、隙間を介して建物の壁面の凸部等が見えるため、壁面の状況を把握でき、マスカーテープを貼付し易い。
【００１３】
本考案のテープ貼付器具では、前記テープ支持体の端部に、前記マスカーテープの前記芯材を保持するための前記芯材の内径よりも大径である保持体が、前記テープ支持体の端部に着脱自在に設けられた構成を採用できる。
【００１４】
上記構成のテープ貼付器具では、テープ支持体の端部に保持体を装着することで、テープ支持体に、ロール状に巻取られたマスカーテープを装着しても、芯材が保持されるから、マスカーテープがテープ支持体から脱落しない。
【００１５】
本考案のテープ貼付器具では、前記土台部および前記案内部のうちの少なくとも該案内部の表面が、保護材で覆われた構成を採用できる。
【００１６】
上記構成のテープ貼付器具では、土台部および案内部のうちの、少なくとも案内部の表面は保護材で覆われているから、貼付面を損傷させることもない。
【考案の効果】
【００１７】
本考案にかかるテープ貼付器具によれば、案内部を貼付面に沿って動かすようにすれば、テープ貼付器具が板状の案内部に案内されるから、マスカーテープを貼付する際の貼付面に対するテープ貼付器具の動きが安定させられる。
【図面の簡単な説明】
【００１８】
【図１】本考案の一実施形態に係るテープ貼付器具の斜視図である。
【図２】同マスカーテープをテープ支持体に支持した状態の斜視図である。
【図３】同テープ貼付器具の使用状態を表す一部破断断面図である。
【図４】同テープ貼付器具の使用状態を表す参考図である。
【考案を実施するための形態】
【００１９】
以下、本考案の一実施形態に係るテープ貼付器具を図１ないし図４を参照して説明する。図１および図２に示すように、テープ貼付器具１は、マスカーテープ２を保持するものであって、土台部３、案内部１０、載置案内部１１、テープ支持体４、および把持部５を備える。
【００２０】
マスカーテープ２は公知のものであり概略の説明をする。マスカーテープ２は、図２に示すよう、円筒状の芯材６と、ロール状に巻取られた粘着テープ材である養生テープ材７と、養生テープ材７に保持されたフィルム部８とを備えている。また、フィルム部８の端部は養生テープ材７に接着されており、フィルム部８は、養生テープ材７に保持された保持姿勢Ｘ１と、図４に示すように、広がり方向へ展開自在となった解除姿勢Ｘ２とに姿勢変更可能となっている。
【００２１】
なお、マスカーテープ２のフィルム部８は折畳まれた状態であり、建物の壁面等の貼付面（マスキング領域）９に貼付すべく、その長さは適宜に応じて設定される。
【００２２】
図２に示すように、土台部３には、案内部１０と、載置案内部１１とが設けられている。土台部３、案内部１０および載置案内部１１は一体形成されている。土台部３、案内部１０、および載置案内部１１は、例えばアルミニウム合金等の軽量の金属製品であり、これらの表面に、図１の二点鎖線で示すように、合成樹脂等の保護材１２で覆われている。
【００２３】
土台部３は、ロール状に巻取られたマスカーテープ２を載せることで設置する機能を有する。土台部３は矩形の平板状であり、マスカーテープ２の最大径よりも小さく形成されている。
【００２４】
案内部１０は、土台部３の端部に配置されて土台部３の一面側１３から直交する方向、すなわち、後述するテープ支持体４に沿って延びている。案内部１０は、ロール状に巻取られたマスカーテープ２の略接線方向に延長された矩形の平板状に形成されている。土台部３と案内部１０とは、幅方向を同一に形成されている。このように形成された平板状の案内部１０には、土台部３の一面側１３から直交する方向に延びる一辺部１０ａと、一辺部１０ａに幅方向で対向する他辺部１０ｂと、一辺部１０ａと他辺部１０ｂの間にあって、平滑面である案内辺部１０ｄとを備えている。
【００２５】
載置案内部１１は、案内部１０の上端１０ｃに配置され、案内部１０の延びる方向に対して略直角な方向で、後述するテープ支持体４とは反対方向に配置されている。すなわち、土台部３と載置案内部１１とは、案内部１０を介して平行に形成されている。載置案内部１１は、矩形の平板状に形成されている。また、載置案内部１１と土台部３とは、幅方向を同一に形成され、載置案内部１１の長さは、土台部３よりも短く形成されている。
【００２６】
このように形成された平板状の載置案内部１１には、案内部１０の一辺部１０ａに連続した載置一辺部１１ａが形成され、案内部１０の他辺部１０ｂに連続した載置他辺部１１ｂが形成されている。また、載置案内部１１には、後述するように、貼付面９の係止部１４に載せるための、平滑面である下面１１ｃが形成されている。
【００２７】
前記テープ支持体４は、土台部３の一面側１３に立設されてマスカーテープ２を引出し可能とするよう、芯材６を回転可能に支持するもので、軸方向（土台部３の表面に対して直交する方向）へ延びている。テープ支持体４は棒状、具体的には円筒状に形成されており、テープ支持体４の直径は、案内部１０の幅よりも小さく設定されている。
【００２８】
テープ支持体４は、土台部３の一面側１３における対角線の交点に対し、案内部１０とは反対側である外側に配置されている。この場合の外側とは、案内部１０の幅方向中心に対する延長上であり、また、テープ支持体４は、土台部３の一面側１３に固定されている。テープ支持体４の上端には、後述するキャップ１５の取付口４ａが形成されている。
【００２９】
テープ支持体４の取付口４ａの上端は、載置案内部１１の上端１１ｄよりも低く設定されている。このため、マスカーテープ２の上端２ａは、載置案内部１１の上端１１ｄより低く設定されている。つまり、図３に示すように、マスカーテープ２側から案内部１０側を観ると、載置案内部１１とテープ支持体４との間に、テープ支持体４の軸方向で、所定のスペース（隙間）Ｓが介在している。つまり、作業者には、スペースＳが介在することで、案内部１０の上部や載置案内部１１を観て取ることができる。
【００３０】
土台部３におけるテープ支持体４の立設位置において、テープ支持体４の内側の長さＬ１と外側の長さＬ２とでは、外側の長さＬ２のほうが短く設定されている。この外側の長さＬ２について述べると、この長さＬ２は、テープ支持体４に装着されたマスカーテープ２の最大半径（新品時の半径）より小さく設定されている。また、テープ支持体４の外周と案内部１０との長さＬ３は、マスカーテープ２の最大半径にくらべてわずかに大きく設定されている。
【００３１】
テープ支持体４は、マスカーテープ２が脱落しないように保持するキャップ（保持体）１５が取付けられる。この場合、キャップ１５は、テープ支持体４の上部の内面に螺合することで取付けられている。そして、キャップ１５は略円錐台状であり、キャップ１５においてその底部１５ａの直径が、芯材６の内径よりも大径である。この構成により、キャップ１５を締付けて芯材６に重ね合わされることで、マスカーテープ２をテープ支持体４に着脱自在に取付けることができる。
【００３２】
キャップ１５は、テープ支持体４の取付口４ａに締付けた際に、図３に示すように、マスカーテープ２（養生テープ材７）の上端２ａと、キャップ１５の底部１５ａとに隙間δ１が生ずるように設定されている。
【００３３】
把持部５は、土台部３の他面側１６に立設されて他面側１６の軸方向、すなわち、テープ支持体４とは反対方向へ延びるよう配置されている。把持部５は、杆状（この場合、円筒状）に形成されている。把持部５は、土台部３に固定されて、作業者が把持し易い長さに設定されている。なお、把持部５には、布地や皮革等の部材を捲回することで、作業者が把持した際の滑り止めとなる部材を施すこともできる。
【００３４】
上記構成のテープ貼付器具１において、図２に示すように、作業者は、マスカーテープ２を、養生テープ材７を上にし、フィルム部８を下にして、芯材６をテープ支持体４に外嵌するようにして、マスカーテープ２をテープ支持体４に設置する。そして、キャップ１５をテープ支持体４の上部の取付口４ａに螺合する。
【００３５】
テープ支持体４の外周部と案内部１０との長さＬ３は、マスカーテープ２の最大半径にくらべてわずかに大きく設定されているから、マスカーテープ２がテープ支持体４と案内部１０との間に円滑に入ることができる。
【００３６】
また、キャップ１５の底部１５ａの直径が、芯材６の内径よりも大きくなるよう設定されているから、キャップ１５を締付けて芯材６に重ね合わされることで、マスカーテープ２をテープ支持体４に装着した際に、マスカーテープ２がテープ支持体４から脱落することもない。
【００３７】
キャップ１５は、テープ支持体４に締付けた際に、マスカーテープ２の上端２ａと、キャップ１５の底部１５ａとに隙間δ１が生ずるように設定されている。このため、マスカーテープ２をテープ支持体４に設置すると、隙間δ１の上下方向分の余裕、いわゆる「遊び」が生じている。したがって、マスカーテープ２を貼付する（引出す）際に、邪魔するものがない。
【００３８】
このようにして、マスカーテープ２をテープ支持体４に設置し終えると、作業者は、マスカーテープ２を、建物の壁面の貼付面９に貼付する。この際、作業者は、把持部５を把持することで、テープ貼付器具１を安定して扱うことができる。このため、例えば高所においても、マスカーテープ２を落下させることがほとんど無く、安全性が保障される。
【００３９】
図３、図４では、貼付面９が、水平方向に延びる係止部（凸部）１４を有する壁面１７の場合を例示している。このような貼付面９では、図４で示すように、ロール状に巻取られた養生テープ材７を引出すようにして、マスカーテープ２を引出し、養生テープ材７を貼付面９に貼付する。
【００４０】
このとき、土台部３は、マスカーテープ２の最大半径よりも小さく形成され、テープ支持体４に対する土台部３の外側の長さＬ２は、マスカーテープ２の最大半径より小さく設定されている。このことから、マスカーテープ２と土台部３との間の摩擦力を小さくすることが可能であり、したがって、マスカーテープ２を貼付面９に容易に貼ることができる。
【００４１】
例えば、作業者は、載置案内部１１の平滑面である下面１１ｃを係止部１４に載せ、平滑面である案内部１０の案内辺部１０ｄをガイドとして、面どうしが当接するように貼付面９に押し当てて、マスカーテープ２を貼付する。このとき、案内部１０に加えて、載置案内部１１によっても、テープ貼付器具１の動きが安定化させられる。そして、土台部３、案内部１０、および載置案内部１１には、保護材１２が塗布されているから、貼付面９を損傷させることもない。このとき、フィルム部８は、養生テープ材７に保持された保持姿勢Ｘ１とされている。
【００４２】
養生テープ材７を壁面１７に貼付し終えると、案内部１０の片側の直線状の一辺部１０ａを目途として、別に用意した刃物（カッター等）で、養生テープ材７を切断する。すなわち、案内部１０の一辺部１０ａを定規代わりとして、養生テープ材７を切断し、その後、フィルム部８を展開した解除姿勢Ｘ２、すなわちフィルム部８を広げた姿勢として、マスカーテープ２を敷設する作業を終える。
【００４３】
なお図４は、便宜上、フィルム部８の保持姿勢Ｘ１と解除姿勢Ｘ２とが表現されているが、作業手順としては、フィルム部８は、養生テープ材７に保持された保持姿勢Ｘ１とすることが好ましい。しかしながら、フィルム部８は、保持姿勢Ｘ１と解除姿勢Ｘ２とを同時に平行して行うこともあり得る。
【００４４】
ところで、テープ貼付器具１では、マスカーテープ２の上端２ａは、載置案内部１１の上端１１ｄよりも低く設定され、マスカーテープ２側から案内部１０側を観れば、図３に示すように、所定のスペース（隙間）Ｓが介在して、案内部１０の上部や載置案内部１１が観て取ることができるよう構成されている。これは、例えば、貼付面９がサッシであって、これにシールが施されている場合には、作業者には、案内部１０の上部や載置案内部１１が観て取ることができ、シールが施されている場合には養生テープ材７を貼付できない都合上から、シールを避けることができるからである。すなわち、作業者にとって、養生テープ材７の上下、左右方向の位置調節が容易な構成となっている。
【００４５】
このように、本実施形態のテープ貼付器具１によれば、案内部１０を貼付面９に沿って動かすようにすれば、テープ貼付器具１が案内部１０に案内されるから、テープ貼付器具１の動きが安定させられる。
【００４６】
本考案は、上記実施形態に限定されず、本考案の主旨を逸脱しない範囲で種々変形が可能である。その他、各部の具体的構成についても上記実施形態に限られるものではない。
【００４７】
上記実施形態では、キャップ１５は、テープ支持体４の上部の内面に螺合することで取付けられているが、キャップ１５は、単にテープ支持体４の上部の内面に嵌合するタイプの脚部を有していてもよい。
【符号の説明】
【００４８】
１…テープ貼付器具、２…マスカーテープ、２ａ…上端、３…土台部、４…テープ支持体、５…把持部、６…芯材、７…養生テープ材、８…フィルム部、９…貼付面、１０…案内部、１０ｃ…上端、１０ｄ…案内辺部、１１…載置案内部、１１ｃ…下面、１２…保護材、１３…一面側、１４…係止部、１５…キャップ、１５ａ…底部、１６…他面側、１７…壁面、Ｘ１…保持姿勢、Ｘ２…解除姿勢、δ１…隙間
【図１】
0003226795.tif 000003
【図２】
0003226795.tif 000004
【図３】
0003226795.tif 000005
【図４】
0003226795.tif 000006